(57)【要約】【課題】情報表示装置による情報伝達の効率が向上し、情報表示装置の新設、増設、移設における建物情報の登録、更新等が簡単に行える情報表示システムを提供する。【解決手段】地図データ記憶装置３０に蓄えられている地図データを液晶表示装置２０に表示することができる、又は印刷装置４０で印刷することができる、又は有線ネットワークインタフェース５０、無線ネットワークインタフェース６０を介してダウンロードすることができる街角地図板１０と、建物１の情報を保持する建物情報記憶装置３と、無線ネットワークインタフェース２（建物用通信手段）と、街角地図板１０の位置情報やアドレスを管理する地図板管理センター７０とを備える。【選択図】        図８
2005037610.tif 000002
【特許請求の範囲】
【請求項１】
電子情報を表示するための表示装置、地図データを格納するための地図データ記憶装置、地図情報などを印刷する印刷装置、料金を課すための課金装置、有線あるいは無線接続によるネットワーク通信が可能な表示装置用通信手段を備え、前記地図データ記憶装置に蓄えられている地図データを前記表示装置に表示すること、又は前記印刷装置で印刷すること、又は前記表示装置用通信手段を介してダウンロードすることの少なくとも一つができる情報表示装置と、建物の情報を保持する建物情報記憶装置と、建物に設置される有線あるいは無線接続によるネットワーク通信が可能な建物用通信手段と、前記情報表示装置の位置情報やアドレスを管理する管理手段とを備えたことを特徴とする情報表示システム。
【請求項２】
前記情報表示装置を建て替える場合は、保存されているデータを古い前記情報表示装置から新しい前記情報表示装置へ移行し、建て替えに伴い前記情報表示装置のアドレスが変わる場合は、前記管理手段に登録されているアドレスを新しいアドレスに更新し、古い前記情報表示装置に登録されている全ての建物に対してアドレスが変わったことを通知するようにしたことを特徴とする請求項１に記載の情報表示システム。
【請求項３】
前記情報表示装置を新設又は増設した場合は、前記情報表示装置は設置先周辺にある他の情報表示装置のアドレスを取得してアクセスし、該他の情報表示手段から建物情報を取得して自身の前記地図データ記憶装置に保存し、情報を取得した建物に対して建物情報を登録したことを通知し、前記情報表示装置自信の情報を前記管理手段に登録するようにしたことを特徴とする請求項１に記載の情報表示システム。
【請求項４】
前記情報表示装置を移転した場合は、前記情報表示装置に登録されていた建物の情報を削除し、該情報を削除したことを該登録されていた建物に通知し、前記情報表示装置は設置先周辺にある他の情報表示装置のアドレスを取得してアクセスし、該他の情報表示手段から建物情報を取得して自身の前記地図データ記憶装置に保存し、情報を取得した建物に対して建物情報を登録したことを通知し、前記情報表示装置自信の情報を前記管理手段に登録するようにしたことを特徴とする請求項１に記載の情報表示システム。
【発明の詳細な説明】
【０００１】
【発明の属する技術分野】
本発明は、街角などに設置した情報表示装置によって地図データなどの表示、印刷、ダウンロード、更新等ができる情報表示システムに関する。
【０００２】
【従来の技術】
地図情報を画面に表示させる場合の技術としては、大量の情報を利用者に送信せず利用者の周辺に限った情報を随時リアルタイムで送信し続けるための仕組みについての技術（例えば、特開２００１−０３４８８９公報の地図情報放送型の移動体通信の送受信システム）や、ランドマーク情報の内容を読み取って、それを通常表示するか協調表示するかを識別するための技術（例えば、特開２００１−２０１３５５公報のナビゲーション装置）や、地図情報が更新された場合、利用者にその旨を電子メールにて通知する技術（例えば、特開２００１−３０６４１７公報の地理情報システムを用いたネットワークおよび情報発信システム）や、カーナビゲーションシステムでの径路誘導に関して、ランドマーク情報をリアルタイムに更新しながら径路誘導を行う技術（例えば、特開２００２−１８１５６３公報のランドマーク更新システムおよびナビゲーション装置）などが知られている。また、街角に設置されている周辺地図板（鉄板等に直接地図が描かれたもの）を電子化した地図の情報表示装置において、この情報表示装置に対する情報の登録や更新、削除等といった情報の管理方法についての研究もなされている。
【特許文献１】特開２００１−０３４８８９公報
【特許文献２】特開２００１−２０１３５５公報
【特許文献３】特開２００１−３０６４１７公報
【特許文献４】特開２００２−１８１５６３公報
【０００３】
【発明が解決しようとする課題】
しかしながら、特開２００１−０３４８８９公報の地図情報放送の送受信システム、特開２００１−２０１３５５公報のナビゲーション装置、特開２００１−３０６４１７公報の地理情報システムを用いたネットワークおよび情報発信システム、特開２００２−１８１５６３公報のランドマーク更新システムおよびナビゲーション装置では、建物の情報（ビルのテナント情報等）の登録や更新、削除それ自体については考慮されておらず、常に正確で詳しい建物の情報を得ることはできなかった。また、上述した地図の情報表示装置では、情報表示装置の新設、増設、移転における建物情報の登録、更新等に手間がかかるという問題があった。また、情報表示装置同士の有機的な連携がなく、情報の管理がしにくいという問題があった。
そこで、本発明は、上述の問題点を解決するためになされたもので、情報表示装置による情報伝達の効率が向上し、情報表示装置の新設、増設、移設における建物情報の登録、更新等が簡単に行える情報表示システムを提供することを目的とする。
【０００４】
【課題を解決するための手段】
上述の問題点を解決するために、請求項１記載の発明では、電子情報を表示するための表示装置、地図データを格納するための地図データ記憶装置、地図情報などを印刷する印刷装置、料金を課すための課金装置、有線あるいは無線接続によるネットワーク通信が可能な表示装置用通信手段を備え、前記地図データ記憶装置に蓄えられている地図データを前記表示装置に表示すること、又は前記印刷装置で印刷すること、又は前記表示装置用通信手段を介してダウンロードすることの少なくとも一つができる情報表示装置と、建物の情報を保持する建物情報記憶装置と、建物に設置される有線あるいは無線接続によるネットワーク通信が可能な建物用通信手段と、前記情報表示装置の位置情報やアドレスを管理する管理手段とを備えた情報表示システムを最も主要な特徴とする。
請求項２記載の発明では、請求項１にて前記情報表示装置を建て替える場合は、保存されているデータを古い前記情報表示装置から新しい前記情報表示装置へ移行し、建て替えに伴い前記情報表示装置のアドレスが変わる場合は、前記管理手段に登録されているアドレスを新しいアドレスに更新し、古い前記情報表示装置に登録されている全ての建物に対してアドレスが変わったことを通知するようにした情報表示システムを主要な特徴とする。
【０００５】
請求項３記載の発明では、請求項１にて前記情報表示装置を新設又は増設した場合は、前記情報表示装置は設置先周辺にある他の情報表示装置のアドレスを取得してアクセスし、該他の情報表示手段から建物情報を取得して自身の前記地図データ記憶装置に保存し、情報を取得した建物に対して建物情報を登録したことを通知し、前記情報表示装置自信の情報を前記管理手段に登録するようにした情報表示システムを主要な特徴とする。
請求項４記載の発明では、請求項１にて前記情報表示装置を移転した場合は、前記情報表示装置に登録されていた建物の情報を削除し、該情報を削除したことを該登録されていた建物に通知し、前記情報表示装置は設置先周辺にある他の情報表示装置のアドレスを取得してアクセスし、該他の情報表示手段から建物情報を取得して自身の前記地図データ記憶装置に保存し、情報を取得した建物に対して建物情報を登録したことを通知し、前記情報表示装置自信の情報を前記管理手段に登録するようにした情報表示システムを主要な特徴とする。
【０００６】
【発明の実施の形態】
以下、図面により本発明の実施の形態を詳細に説明する。図１は本発明の実施の形態である情報表示システムの概略構成図である。図１に示すように、情報表示システムは街中にある周辺地図板（鉄板等に直接描かれた周辺地図）を電子システム化した情報表示装置としての街角地図板１０と、街角地図板１０の周辺にある建物１、１ａ、１ｂなどを含むシステムである。
建物１は街角地図板１０と通信するための、有線あるいは無線の建物用通信手段をもつ。図２では、無線の建物用通信手段として無線ネットワークインタフェース２を備えた例を示している。また、建物情報を保持するための建物情報記憶装置３が建物内あるいはネットワークでアクセス可能な場所に設置されている。
【０００７】
図３は街角地図板１０の構成を示す図である。街角地図板１０は電子情報により地図などを表示する表示装置としての液晶表示装置２０、表示する地図データを記憶しておく地図データ記憶装置３０、印刷装置４０、課金装置４５、外部システムとの通信を行うための表示装置用通信手段としての有線ネットワークインタフェース５０及び無線ネットワークインタフェース６０からなる。
建物１は、自身の情報を表示したい街角地図板１０に対して建物情報記憶装置３に保持している自身の建物ＩＤと簡易情報を登録する。街角地図板１０は、登録された建物ＩＤと簡易情報を地図データ記憶装置３０に保存する。建物ＩＤと簡易情報の組み合わせは、一意に識別可能でなければならない。また、建物１は自身の詳細情報も建物情報記憶装置３に保持している。
例えば、１つのビルに複数のテナントが入っている場合には、そのビルの建物ＩＤ、各テナント名称、各テナントの業務概要といった情報を入れておくことができる。街角地図板１０は、登録された建物１の情報しか表示することはできない。これにより、自身の情報を公開したくない建物は、登録しないことで非公開となり、セキュリティの面で安全である。
街角地図板１０は、登録された建物１の建物ＩＤと簡易情報から地図データを構築する。表示されている地図データ上の建物ＩＤの場所をユーザが選択すると、街角地図板１０は地図データ記憶装置３０に登録されている簡易情報を表示する。この建物ＩＤや簡易情報が図４に示す表示許可情報である。その簡易情報から更に詳細情報をユーザが要求すると、街角地図板１０は有線ネットワークインタフェース５０又は無線ネットワークインタフェース６０を介して建物１と通信を行い、建物１の建物情報記憶装置３に保持されている詳細情報を取得して、液晶表示装置２０に表示することができる。
【０００８】
図４は街角地図板１０と建物１との間を説明する概略図である。この機構により、各建物の詳細情報は建物自身だけが保持することになり、情報の重複がなくなる。よって、街角地図板１０の地図データ記憶装置３０の容量も小さく抑えることができる。また、詳細情報のみを変更した場合、建物１はその詳細情報を街角地図板１０にアップロードしなくてもよく、通信コストを下げることができる。
【０００９】
建物情報を街角地図板１０に新規に登録する場合、建物１は街角地図板１０のネットワーク上の位置（アドレス）を知る必要があるが、建物が設置される場所によって該当する街角地図板のアドレスは異なる。このため、本発明の実施の形態である情報表示システムでは、図５に示すように、街角地図板の位置情報やアドレスを管理する管理手段としての地図板管理センター７０を設置し、建物１はこの地図板管理センター７０から自身の情報を登録する街角地図板１０のアドレスを取得する。
このとき、地図板管理センター７０はネームサービス（ホワイトページ）の役割を果たす。例えば、建物１が「自身の所在地から５ｋｍ以内にある街角地図板のアドレスを知りたい」という要求を地図板管理センター７０に対して行うと、地図板管理センター７０は該当する街角地図板のアドレスを建物１に伝える。一度、登録すべき街角地図板のアドレスがわかれば、建物１はそれ以降街角地図板１０と直接通信することができる。
【００１０】
地図板管理センター７０には、全ての街角地図板のネットワーク上の位置（アドレス）と、その実際の所在地の情報が管理されている。下表はその一例である。また、建物からの距離を求めるために必要な情報、例えば地図情報そのものも保存している。建物からの距離を求める仕組みは、別のシステムで実現されていてもよい。このように、地図板管理センター７０が街角地図板のアドレスを管理するので、街角地図板が所有する情報の管理も容易になる。また、建物が街角地図板のアドレスを知る必要がないのでシステムが簡素化される。
2005037610.tif 000003
【００１１】
図６に示すように、街角地図板１０を建て替える際は、街角地図板１０のアドレスが変わらなければ、保存されているデータを古い街角地図板から新しい街角地図板へ移行するだけでよい。また、街角地図板１０（図７の新しい地図版１０）を建て替える際、街角地図板１０のアドレスが変わる場合には、街角地図板１０は地図板管理センター７０に保存されている情報を更新すると共に、自身に登録されている全ての建物１に対して、街角地図板のアドレスが変わったことを通知する（図７参照）。
街角地図板１０を新設／増設した際には、図８のように、街角地図板１０は地図板管理センター７０から設置先周辺にある街角地図板のアドレスを取得（図８の応答）する。そして、街角地図板１０は周辺地図板から建物情報を取得（図８のデータ転送）する。取得した建物情報を自身の記憶装置に保存し、それらの全ての建物１に対して、建物情報を登録したことを通知する。この時、建物によっては情報の公開を望まないものもあり得るため、建物１は建物情報の登録可否を通知（応答）する。もし、登録が拒否された場合は、街角地図板１０はその建物の情報を記憶装置から削除する。全ての建物への通知が終わると、街角地図板１０は地図板管理センター７０へ自身の情報を登録する。
【００１２】
地図板の新設／増設時に設置先周辺に街角地図板がない場合は、図９のように周辺地図版のアドレス取得に対する応答が生じないので、新設した街角地図板は地図板管理センター７０への登録のみを行う。建物情報は街角地図板の設置後に手作業にて入力する必要がある。街角地図板１０を移転した場合は、図１０のように、最初にこれまで登録されていた建物情報を削除する。その際、情報を削除したことを登録されていた建物に通知する。それ以降の登録手順は図８又は図９の場合と同様である。
したがって、本発明の実施の形態である情報表示システムでは、地図板管理センター７０を設置し、地図板管理センター７０が街角地図板のアドレスを管理するので、街角地図板による情報伝達の効率が向上し、街角地図板の新設、増設、移設における建物情報の登録、更新等が簡単にできるようになる。
【００１３】
【発明の効果】
以上説明したように、請求項１によれば、情報表示装置の位置情報やアドレスを管理するための管理手段を設置し、管理手段が情報表示装置のアドレス等を管理するので、情報表示装置による情報伝達の効率が向上し、情報表示装置の新設、増設、移設における建物情報の登録、更新等が簡単になるという効果がある。
請求項２〜４によれば、情報表示装置の位置情報やアドレスを管理するための管理手段を設置し、管理手段が情報表示装置のアドレス等を管理するので、情報表示装置による情報伝達の効率が向上する。また、所定の手順で情報表示装置同士が情報を移動すればよいので、情報表示装置の新設、増設、移設における建物情報の登録、更新等がいっそう簡単になるという効果がある。
【図面の簡単な説明】
【図１】情報表示システムの一部を示す概略構成図。
【図２】無線ネットワークインタフェース２を備えた建物１の概観図。
【図３】街角地図板１０の構成を示す図。
【図４】街角地図板１０と建物１との間を説明する概略図。
【図５】地図板管理センター７０と建物１の概観図。
【図６】新しい街角地図板と古い街角地図板における情報伝達のイメージ図。
【図７】街角地図板を建て替える場合の情報伝達のイメージ図。
【図８】街角地図板を新設・増設する場合の情報伝達のイメージ図。
【図９】街角地図板の新設・増設時に設置先周辺に他の街角地図板がなかった場合の情報伝達のイメージ図。
【図１０】街角地図板を移転した場合の情報伝達のイメージ図。
【符号の説明】
１、１ａ、１ｂ  建物
２  無線ネットワークインターフェース
３  建物情報記憶装置
１０  街角地図板
２０  液晶表示装置
３０  地図データ記憶装置
４０  印刷装置
４５  課金装置
５０  有線ネットワークインターフェース
６０  無線ネットワークインターフェース
７０  地図板管理センター
【図１】
2005037610.tif 000004
【図２】
2005037610.tif 000005
【図３】
2005037610.tif 000006
【図４】
2005037610.tif 000007
【図５】
2005037610.tif 000008
【図６】
2005037610.tif 000009
【図７】
2005037610.tif 000010
【図８】
2005037610.tif 000011
【図９】
2005037610.tif 000012
【図１０】
2005037610.tif 000013